(57)【要約】【課題】画像表示面の傾斜角度に寄らず、操作キーの操作性を維持することのできる液晶表示装置、車載機器、液晶表示装置の画像表示方法および制御プログラムを提供する。【解決手段】液晶表示装置１に画像表示面１１ａにタッチパネル１３が配設され、タッチパネル１３を介して画像表示面１１ａに表示された操作キー１４を操作可能とした液晶パネル１１と、液晶パネル１１を支持角度可変に支持する支持部２１と、画像表示面１１ａの傾斜角度を検出する角度検出部２３と、傾斜角度の変化に応じて、操作キー１４の表示形態を変更する表示制御部２６とを設ける。【選択図】図２
2010256460.tif 000002
【特許請求の範囲】
【請求項１】
画像表示面にタッチパネルが配設され、前記タッチパネルを介して前記画像表示面に表示された操作キーを操作可能とした液晶パネルと、
前記液晶パネルを支持角度可変に支持する支持部と、
前記画像表示面の傾斜角度を検出する角度検出部と、
前記傾斜角度の変化に応じて、前記操作キーの表示形態を変更する表示制御部と、
を備えることを特徴とする液晶表示装置。
【請求項２】
請求項１に記載の液晶表示装置において、
前記表示制御部は、前記傾斜角度の変化に応じて、前記表示形態として前記操作キーの表示サイズを変更すること、
を特徴とする液晶表示装置。
【請求項３】
請求項１又は２に記載の液晶表示装置において、
前記表示制御部は、前記傾斜角度の変化に応じて、前記表示形態として前記操作キーの表示位置を変更すること、
を特徴とする液晶表示装置。
【請求項４】
請求項１〜３のいずれか一項に記載の液晶表示装置において、
前記画像表示面は前記支持部により所定の基準角度に支持されており、
前記操作キーの表示形態は、前記基準角度における基準の表示形態が予め定められており、
前記表示制御部は、前記角度検出部により検出された傾斜角度と、前記基準角度との差に応じて、前記操作キーの表示形態を前記基準の表示形態から変更すること、
を特徴とする液晶表示装置。
【請求項５】
請求項１〜４のいずれか一項に記載の液晶表示装置を備えたこと、
を特徴とする車載機器。
【請求項６】
画像表示面にタッチパネルが重ねて配設され、前記タッチパネルを介して前記画像表示面に表示された操作キーを操作可能とした液晶パネルと、前記液晶パネルを支持角度可変に支持する支持部と、前記画像表示面の傾斜角度を検出する角度検出部とを備えた液晶表示装置の表示制御方法であって、
前記角度検出部により画像表示面の傾斜角度を検出する過程と、
前記傾斜角度の変化に応じて、前記操作キーの表示形態を変更する過程と、
を備えることを特徴とする液晶表示装置の表示制御方法。
【請求項７】
画像表示面にタッチパネルが重ねて配設され、前記タッチパネルを介して前記画像表示面に表示された操作キーを操作可能とした液晶パネルと、前記液晶パネルを支持角度可変に支持する支持部と、前記画像表示面の傾斜角度を検出する角度検出部前記画像表示面の傾斜角度を検出する角度検出部とを備えた液晶表示装置をコンピューターを用いて制御するための制御プログラムであって、
前記角度検出部に、画像表示面の傾斜角度を検出させ、
前記傾斜角度の変化に応じて、前記操作キーの表示形態を変更させること、
を特徴とする制御プログラム。
【発明の詳細な説明】
【技術分野】
【０００１】
本発明は、液晶表示パネルの画像表示面に操作パネルが配設された液晶表示装置、車載機器、液晶表示装置の表示制御方法および制御プログラムに関する。
【背景技術】
【０００２】
従来、車両に搭載され車載機器に設けられる表示装置において、画像表示面の角度を傾斜できるようにしたものが知られている（例えば、特許文献１参照）。この種の表示装置として、液晶表示装置が主として使用されている。また、この種の液晶表示装置の多くは、その画像表示面にタッチパネルが配設されており、タッチパネルを介して画像表示面に表示される各種操作キーを操作することで、車載機器が備える各種機能を操作可能とされている。
【先行技術文献】
【特許文献】
【０００３】
【特許文献１】特開２００２−３４７４７６号公報
【発明の概要】
【発明が解決しようとする課題】
【０００４】
しかしながら、一般に、液晶パネルの視野角は有機ＥＬディスプレイ等の他のディスプレイと比較すると狭い場合が多い。このため、画像表示面の角度を傾斜させた場合に、ユーザーの視点との位置関係によって画像表示面の視認性が低下し、ユーザーが操作キーの表示箇所を正しく触れることが困難になり、操作性が低下する場合があった。
本発明の課題は、画像表示面の傾斜角度に寄らず、操作キーの操作性を維持することのできる液晶表示装置、車載機器、液晶表示装置の画像表示方法および制御プログラムを提供することにある。
【課題を解決するための手段】
【０００５】
上記課題を解決するために、本発明の第１態様は、画像表示面にタッチパネルが配設され、前記タッチパネルを介して前記画像表示面に表示された操作キーを操作可能とした液晶パネルと、前記液晶パネルを支持角度可変に支持する支持部と、前記画像表示面の傾斜角度を検出する角度検出部と、前記傾斜角度の変化に応じて、前記操作キーの表示形態を変更する表示制御部と、を備えることを特徴とする液晶表示装置を提供する。
上記構成によれば、液晶パネルの支持角度が変化した場合に、表示制御部は画像表示面の傾斜角度の変化に応じて、ユーザーが操作キーの画像表示面上の表示箇所をタッチパネルを介して正しく触れることができるような表示形態に、操作キーの表示形態を変更することで、操作キーの視認性を維持して、操作キーの操作性を維持することができる。
この様な表示形態として、例えば、操作キーの表示サイズや、操作キーの表示位置等が挙げられる。
【０００６】
また、本発明の第２態様は、上記第１態様において、前記表示制御部は、前記傾斜角度の変化に応じて、前記表示形態として前記操作キーの表示サイズを変更すること、を特徴とする。
上記構成によれば、表示制御部により、画像表示面の傾斜角度の変化に応じて、例えば、画像表示面の視認性が低下する場合に、操作キーの表示サイズを大きく変更するなどして、操作キーの視認性を維持して、操作キーの操作性を維持することができる。
【０００７】
また、本発明の第３態様は、上記第１態様又は第２態様において、前記表示制御部は、前記傾斜角度の変化に応じて、前記表示形態として前記操作キーの表示位置を変更すること、を特徴とする。
上記構成によれば、表示制御部により、画像表示面の傾斜角度の変化に応じて、画像表示面の視認性が低下する場合に、例えば、画像表示面の側部あるいは下部等に表示されている操作キーの表示位置を、画像表示面の中央部等のユーザーの視認し易い位置や、操作のし易い位置に、操作キーの表示位置を変更して、操作キーの操作性を維持することができる。
【０００８】
また、本発明の第４態様は、上記第１態様〜第３態様のいずれか一の態様において、前記画像表示面は前記支持部により所定の基準角度に支持されており、前記操作キーの表示形態は、前記基準角度における基準の表示形態が予め定められており、前記表示制御部は、前記角度検出部により検出された傾斜角度と、前記基準角度との差に応じて、前記操作キーの表示形態を前記基準の表示形態から変更すること、を特徴とする。
上記構成によれば、画像表示面が所定の基準角度に支持される場合に、画像表示面の傾斜角度と、基準角度との差に応じて、画像表示面の視認性が低下する場合に、操作キーの表示形態を基準の表示形態から変更して、操作キーの操作性を維持することができる。
【０００９】
また、上記目的を達成するために、本発明の第５態様は、上記第１態様〜第４態様のいずれか一の態様の液晶表示装置を備えたことを特徴とする車載機器を提供する。
【００１０】
また、上記目的を達成するために、本発明の第６態様は、画像表示面にタッチパネルが重ねて配設され、前記タッチパネルを介して前記画像表示面に表示された操作キーを操作可能とした液晶パネルと、前記液晶パネルを支持角度可変に支持する支持部と、前記画像表示面の傾斜角度を検出する角度検出部とを備えた液晶表示装置の表示制御方法であって、前記角度検出部により画像表示面の傾斜角度を検出する過程と、前記傾斜角度の変化に応じて、前記操作キーの表示形態を変更する過程と、を備えることを特徴とする液晶表示装置の表示制御方法を提供する。
【００１１】
また、上記目的を達成するために、本発明の第７態様は、画像表示面にタッチパネルが重ねて配設され、前記タッチパネルを介して前記画像表示面に表示された操作キーを操作可能とした液晶パネルと、前記液晶パネルを支持角度可変に支持する支持部と、前記画像表示面の傾斜角度を検出する角度検出部前記画像表示面の傾斜角度を検出する角度検出部とを備えた液晶表示装置をコンピューターを用いて制御するための制御プログラムであって、前記角度検出部に、画像表示面の傾斜角度を検出させ、前記傾斜角度の変化に応じて、前記操作キーの表示形態を変更させること、を特徴とする。
【発明の効果】
【００１２】
本発明によれば、画像表示面の傾斜角度の変化に応じて、操作キーの表示形態を変更して、操作キーの操作性を維持することができる。
【図面の簡単な説明】
【００１３】
【図１】本実施の形態の液晶表示装置の外観構成を簡略に示した図である。
【図２】操作キーの表示例を示した図である。
【図３】本実施の形態の液晶表示装置の概要構成ブロック図である。
【図４】表示設定情報を図示化したグラフである。
【図５】本実施の形態の処理フローチャートである。
【発明を実施するための形態】
【００１４】
以下、図面を参照して本発明の実施の形態を説明する。
図１に、本実施の形態の液晶表示装置１の概略構成を示す。本実施の形態では、車載用の車載機器１００に設けられる液晶表示装置１を例に挙げて説明する。図１に示すように、液晶表示装置１は、液晶パネル１１を有する表示部１０と、本体部２０とを備えている。本体部２０は、図示しない車両のダッシュボード内に配置され、表示部１０は、ダッシュボードの前面側に配置される。液晶パネル１１の画像表示面１１ａには、その全面を覆うようにタッチパネル１３が重ねて配設されている。また、液晶パネル１１は本体部２０に対して支持部としてのスライドメカ２１により支持角度可変に支持されている。
【００１５】
スライドメカ２１は、図１（ａ）〜（ｃ）に示すように、本体部２０の下端部に設けられるスライドバー２１ａと、スライドバー２１ａの一端に設けられ液晶パネル１１の下端を支持する回動部２１ｂとを備えている。
【００１６】
スライドバー２１ａは水平方向（矢印ＦＲ方向）にその長さを伸縮することができる。スライドバー２１ａを図中矢印Ｆ方向に移動させてその長さを伸張させることで、図１（ａ）に示すクローズ位置（＝傾斜角度θａ）を基準位置（＝基準角度θａ）として、このクローズ位置から図１（ｃ）に示すオープン位置（＝傾斜角度θｃ）まで、液晶パネル１１を水平方向に移動させる。
【００１７】
回動部２１ｂは液晶パネル１１の下端を支持し、回動軸を中心として液晶パネル１１を支持した状態で回動することによりその姿勢を図１（ａ）に示すクローズ位置（＝傾斜角度θａ）から図１（ｃ）に示すオープン位置（＝傾斜角度θｃ）まで変化させることができる。スライドバー２１ａの伸張および回動部２１ｂの回動を制御することで、液晶パネル１１の画像表示面１１ａの角度を、図１（ｂ）に示す様に、例えば、傾斜角度θｂの様に、所望の角度に傾斜させることができる。
【００１８】
また、液晶パネル１１を図１（ｃ）に示すオープン位置において、液晶パネル１１の姿勢をスライドバー２１ａと略平行にした状態で、スライドバー２１ａを矢印Ｒ方向に移動させることにより、液晶パネル１１を本体部２０に設けられるディスプレイ収納部（図示略）に収納できるようになっている。
【００１９】
次に、図２（ａ）を参照して、画像表示面１１ａに表示される操作キー１４の表示例を説明する。
図２（ａ）に示す様に、液晶パネル１１の画像表示面１１ａには各種の操作キー１４が表示されている。本実施の形態の車載機器１００は、後述する様に、ＤＶＤ（Digital Versatile Disk）を再生可能なＤＶＤ再生装置が接続されており、動作モードとして、ＤＶＤの再生を接続されたＤＶＤ再生装置に実行させるＤＶＤ再生モードを備えている。図２には、ＤＶＤ再生モードにおける操作画面が画像表示面１１ａに表示された例を示している。
図２（ａ）に示す操作画面では、ＤＶＤの再生において、各種設定を行うための設定画面の表示を指示するための操作キー１４ａ、ＤＶＤの再生に関して付加設定を行うための付加設定画面の表示を指示するための操作キー１４ｂ、ＤＶＤの再生の開始を指示するための操作キー１４ｃ等の各種動作モードに対応した各種の操作キー１４が表示されている。ユーザーは画像表示面１１ａに重ねて配設されたタッチパネル１３を介してこれらの操作キー１４に触れることで、これらの操作キー１４に対応付けられた操作内容を車載機器１００に実行させることができる。
【００２０】
ところで、車載される液晶表示装置１では、一般に、液晶パネル１１の視野角が家庭用テレビ等と比べると狭い場合が多く、また、液晶パネル１１自体、有機ＥＬディスプレイ等の他のディスプレイ装置に比較すると視野角が狭い。画像表示面１１ａの角度を傾斜させた場合に、ユーザーの視点との位置関係によって、画像表示面１１ａ全体が黒っぽく視認されたり、反対に白浮きするように視認される場合がある。この様に、画像表示面１１ａの角度の変化によって、画像表示面１１ａの視認性が低下すると、画像表示面１１ａに表示された操作キー１４の視認性も低下する。その結果、ユーザーは、操作キー１４が表示されている位置を正しく認識することができず、操作キー１４が表示されている領域を正しく触れることが困難になる場合がある。
【００２１】
また、図１（ａ）に示す様に、クローズ位置においてユーザーが指ｆを画像表示面１１ａに対して略垂直な方向からタッチパネル１３を介して画像表示面１１ａに触れた場合、ユーザーが指ｆで実際にタッチパネル１３を触れた箇所ｆ１と、画像表示面１１ａ上においてユーザーが触れたと認識する箇所ｆ２とは略同様の座標位置となる。
一方、例えば、図１（ｂ）、（ｃ）に示す様に、画像表示面１１ａが傾斜している場合に、ユーザーがクローズ位置と同様の方向から指ｆでタッチパネル１３に触れると、ユーザーが実際にタッチパネル１３を触れた箇所ｆ１と、画像表示面１１ａ上においてユーザーが触れたと認識する箇所ｆ２とは異なる座標位置となり、ユーザーが操作キー１４が表示されている位置を正しく触れることが困難になる場合がある。
特に、車両という狭い空間内に配置される液晶表示装置１にあっては、ユーザーが画像表示面１１ａを見る方向は一定であり、ユーザーがタッチパネル１３を介して画像表示面１１ａに触れる指等の被操作媒体の方向は略一定となる。従って、画像表示面１１ａの傾斜に応じて、操作キー１４の表示形態を何ら変更しないとすれば、ユーザーが操作キー１４が表示された箇所を正しく触れるのが困難になり、操作性が低下する。
【００２２】
そこで、本実施の形態の液晶表示装置１は、液晶パネル１１の姿勢がクローズ位置からオープン位置に傾斜される場合に、ユーザーが操作キー１４の画像表示面１１ａ上の表示箇所をタッチパネル１３を介して正しく触れることができるように、操作キー１４の表示サイズを自動的に大きく表示するように、その表示形態を変更するようにしている。操作キー１４の表示サイズを、画像表示面１１ａの傾斜に応じて大きく変更することにより、操作キー１４の視認性を維持するとともに、ユーザーがタッチパネル１３上で触れた位置が、ユーザーが画像表示面１１ａ上に表示される操作キー１４の表示領域内に含まれるようにすることができる。
【００２３】
次に、図３を参照して、液晶表示装置１の主要部に係る機能的構成を説明する。図３に示すように、液晶表示装置１は、上述の表示部１０と本体部２０とを備えている。表示部１０は液晶パネル１１と、信号処理部１２とを備えている。また、本体部２０はスライドメカ２１と、スライドメカ駆動部２２と、角度検出部２３と、タッチパネル１３を有する操作部２４と、メモリー部２５と、表示制御部としてのマイコン２６とを備えている。
【００２４】
信号処理部１２は、図示しないＤＶＤ再生装置等の画像信号源から入力される画像信号に対して信号処理を施し、信号処理後の画像信号を液晶パネル１１に出力する機能を有する。画像信号源として、上述のＤＶＤ再生装置の他、ＴＶチューナー、ＣＤ（Compact Disc）再生装置等の各種の画像信号源を適用することができる。液晶表示装置１はこれらＤＶＤ再生装置、ＴＶチューナー、ＣＤ再生装置等の各種の画像信号源からの画像信号を入力可能に構成される。
また、信号処理部１２には、上記画像信号源となる各種装置に対する各種操作や、当該液晶表示装置１自体の画質設定等を行うための各種の操作キー１４を表示するための操作画面用の画像信号が入力される。操作画面用の画像信号が入力された場合、信号処理部１２は、後述する表示設定情報を参照してマイコン２６から入力される制御信号に基づき、操作キー１４の表示サイズが液晶パネル１１の画像表示面１１ａの傾斜角度に対応する所定の表示サイズとなるように、当該画像信号に対して信号処理を施す。信号処理後の画像信号は液晶パネル１１に出力される。
【００２５】
スライドメカ２１は、上述したスライドバー２１ａと回動部２１ｂの他、駆動用モーター等を有している。駆動用モーターはスライドバー２１ａを水平方向に伸縮移動させるための水平駆動用モーターと、回動部２１ｂを回動させるための回動用モーターとを有する。
【００２６】
スライドメカ駆動部２２は、マイコン２６から入力される制御信号に基づき、ユーザーから液晶パネル１１の姿勢傾斜（変更）指示があった場合、液晶パネル１１の画像表示面１１ａがユーザー所望の角度となるように、水平駆動用モーターおよび回動用モーターの駆動制御を行い、液晶パネル１１の姿勢および位置を制御する。また、操作部２４を介してユーザーから液晶パネル１１の収納指示があった場合には、液晶パネル１１を本体部２０のディスプレイ収納部に収納するようにスライドバー２１ａの伸張動作および液晶パネル１１の回動動作を制御する。
【００２７】
角度検出部２３は、液晶パネル１１の画像表示面１１ａの傾斜角度を検出するものである。ここで、本実施の形態において、液晶パネル１１の画像表示面１１ａの傾斜角度は、スライドバー２１ａに対する画像表示面１１ａの角度として検出される。例えば、図１（ａ）に示す場合、傾斜角度はθａであり、図１（ｂ）に示す場合、傾斜角度はθｂであり、図１（ｃ）に示す場合傾斜角度はθｃである。従って、画像表示面１１ａの傾斜角度はθａから、θｂ、θｃの順に小さくなり、画像表示面１１ａの傾斜が大きくなる程、画像表示面１１ａの傾斜角度は小さい値を示す。
【００２８】
操作部２４は、ユーザーによる各種操作指示を受け付けて、マイコン２６に操作指示に応じた指示信号を出力するもので、上述したタッチパネル１３を備える。画像表示面１１ａには、上述した各種動作モードに応じて種々の操作キー１４が表示される。ユーザーがタッチパネル１３を介して操作キー１４の表示箇所を指などにより触れた場合、このユーザーが触れたタッチパネル１３上の座標位置に対応付けられた、画像表示面１１ａ上の座標位置を示す信号がマイコン２６に入力される。マイコン２６は、かかる信号が入力されると、液晶パネル１１に表示されている各種の操作キー１４が表示されている画像表示面１１ａ上の座標位置と対比して、どの操作キー１４がタッチ操作されたのかを特定し、タッチ操作された操作キー１４に対応付けられた操作内容を液晶表示装置１に実行させる。ユーザーは画像表示面１１ａに表示された操作キー１４をタッチパネル１３を介してタッチ操作することにより、液晶パネル１１の姿勢を傾斜させたり、ＤＶＤの再生等の各種操作を行うことができる。
【００２９】
メモリー部２５は、ＳＲＡＭ（Static Ram）、ＳＤＲＡＭ（Synchronous DRAM）、Ｆｌａｓｈ  ＲＡＭなどから構成され、操作キー１４の表示形態を画像表示面１１ａの傾斜角度に応じて調整するための表示設定情報を格納するための表示設定情報格納領域２５ａを格納する。
ここで、図４に、画像表示面１１ａの各傾斜角度に対応する操作キー１４の表示サイズを示す。図４に示す様に、本実施の形態では、クローズ位置における傾斜角度θａを基準角度として、クローズ位置における操作キー１４の表示サイズを第一の基準サイズＳａ（基準サイズ）としている。そして、操作キー１４の表示サイズは、基準角度（＝傾斜角度θａ）と、画像表示面１１ａの傾斜角度との差に応じて、操作キー１４の表示サイズが所定の割合で大きくなるように、表示設定情報において設定されている。
すなわち、傾斜角度が「１度」変化する毎に、操作キー１４の表示サイズが変化する割合を定数「ａ」で表すと、クローズ位置とオープン位置との間の中間位置（図１（ｂ））における操作キー１４の表示サイズＳｂは、下記式（１）で表すことができる。
Ｓｂ＝ａ×（θａ―θｂ）＋Ｓａ・・・式（１）
すなわち、オープン位置（＝傾斜角度θｃ）における操作キー１４の表示サイズを第二の基準サイズＳｃとすると、中間位置における操作キー１４の表示サイズは、Ｓａ＜Ｓｂ＜Ｓｃの範囲の値をとり、画像表示面１１ａの傾斜角度と基準角度との差が大きくなるにつれて、操作キー１４の表示サイズが大きくなるように変更される。
これらの第一の基準サイズＳａおよび第二の基準サイズＳｃは、予め、車両のダッシュボード等の所定位置に液晶表示装置１を配置して、実験等を行うことにより、ユーザーの操作性を維持することのできるような大きさに設定される。操作性を維持するとは、ユーザーが、車内において、所定の方向から画像表示面１１ａに表示された所定の操作キー１４を視認可能であり、当該所定の操作キー１４をタッチパネル１３を介して触れた場合に、ユーザーが実際に触れたタッチパネル１３上の位置が、画像表示面１１ａ上に表示された当該所定の操作キー１４の表示領域内に含まれる様な表示サイズとなるように操作キー１４の大きさが設定される。通常、多くのユーザーは操作キー１４に触れる場合、操作キーの表示領域の内側を触れる。従って、ユーザーが操作キー１４を操作する際に、ユーザーの視認方向から見て、タッチパネル１３上においてユーザーが触れる蓋然性の高い領域が、画像表示面１１ａ上の操作キー１４の表示領域内に含まれる表示サイズとなるように設定される。
【００３０】
メモリー部２５には、上記表示設定情報として、画像表示面１１ａの傾斜角度の変化に応じて、操作キー１４の表示サイズを変更するための上記図４に示すグラフを示すような関数情報を保有してもよいし、液晶パネル１１が取り得る傾斜角度毎に、各角度に対応する操作キー１４の表示サイズを対応付けた対応付けテーブルを表示設定情報として保有してもよい。
【００３１】
マイコン２６は、液晶表示装置１全体を制御するマイクロプロセッサーで、図示しないＣＰＵ、ＲＡＭ、ＲＯＭ等を備えて構成される。マイコン２６はＲＯＭに予め記憶されている制御プログラムおよび制御用データに基づいて、ＲＡＭの一部を作業領域として、ＣＰＵにより液晶パネル１１の表示制御および姿勢および位置の制御を行うものであり、上記の表示設定情報に基づき、操作キー１４の表示サイズ変更処理を行う。
【００３２】
次に、図５を参照して、本実施の形態における液晶表示装置１の表示サイズ変更処理に係る動作を説明する。但し、液晶パネル１１の基準位置はクローズ位置であるものとする。
図５に示すように、まず、液晶表示装置１は画像表示面１１ａの姿勢の傾斜指示が操作部２４を介して入力されるまで待機する（ステップＳ１）。画像表示面１１ａに対する傾斜指示が操作部２４を介してマイコン２６に入力されると（ステップＳ１；Ｙ）、マイコン２６はスライドメカ駆動部２２を制御して、液晶パネル１１を図１（ａ）に示す基準位置から、ユーザーが指定する傾斜角度まで傾斜させるべく液晶パネル１１の傾斜処理を実行する（ステップＳ２）。ユーザーが指定する傾斜角度まで液晶パネル１１を傾斜させると（ステップＳ３）、次に、制御部は、角度検出部２３により画像表示面１１ａの傾斜角度を検出させる（ステップＳ４）。次いで、メモリー部２５に格納された表示設定情報を読み出し、ステップＳ４において検出された傾斜角度に対応する所定の表示サイズとなるように、操作キー１４の表示サイズを変更する（ステップＳ５）。
【００３３】
以上、説明した上記実施の形態によれば、液晶パネル１１の支持角度が変化した場合に、マイコン２６は画像表示面１１ａの傾斜角度の変化に応じて、ユーザーが操作キー１４の画像表示面１１ａ上の表示箇所をタッチパネル１３を介して正しく触れることができるように、操作キー１４の表示サイズを大きくすることで、操作キー１４の視認性を維持するとともに、操作性を維持することができる。
この際、上記実施の形態では、操作キー１４の画像表示面１１ａ上の表示サイズは、ユーザーが操作キー１４を操作する際に、タッチパネル１３上においてユーザーが触れる蓋然性の高い箇所が、画像表示面１１ａ上の操作キー１４の表示領域内に含まれる表示サイズとなるように設定されている。この様な観点から、画像表示面１１ａが傾斜した場合に、操作キー１４の表示サイズを大きく表示することにより、ユーザーの操作性を維持し、誤操作を防止することができる。
【００３４】
以上説明した上記実施の形態は本発明の一態様であり、本発明の趣旨を逸脱しない範囲において適宜変更可能であるのは勿論である。
例えば、上記実施の形態では、液晶パネル１１の姿勢がクローズ位置である場合の操作キー１４の表示サイズが最も小さく、液晶パネル１１の姿勢がオープン位置である場合の操作キー１４の表示サイズが最も大きくなるように、画像表示面１１ａの傾斜角度に応じて操作キー１４の表示サイズを線形に変更するものとしたが、表示サイズの変更の態様はこれに限定されるものではない。各傾斜角度における画像表示面１１ａの視認性および操作キー１４の操作性を考慮して、各傾斜角度毎にユーザーに対する操作性を維持できる所定の大きさに操作キー１４の表示サイズを変更することができる。
また、上記実施の形態は、液晶パネル１１の基準姿勢は、クローズ位置であり、基準角度＝θａとして説明したが、基準角度は任意の角度とすることができ、例えば、図１（ｂ）に示すクローズ位置とオープン位置との中間位置における画像表示面の傾斜角度θｂを基準角度としてもよい。但し、ユーザーの視点との位置関係により、基準角度における画像表示面１１ａの視認性が最も高くなるように画質が設定されており、基準角度から画像表示面１１ａが傾斜すると、ユーザーの視点との位置関係により、画像表示面１１ａの視認性が低下するものとする。この場合も、操作キー１４の表示形態を、基準角度θｂと傾斜角度との差に応じて変更するようにしてもよい。
【００３５】
また、上記実施の形態は、画像表示面１１ａの傾斜角度の変化に応じて、操作キー１４の表示形態として、操作キー１４の表示サイズを変更する例について説明したが、これに限定されるものではない。例えば、画像表示面１１ａの傾斜角度の変化に応じて、操作キー１４の表示形態として操作キー１４の表示位置を変更するようにしてもよい。図２に示す例では、各種設定を行うための設定画面の表示を指示するための操作キー１４ａを画像表示面１１ａに向かって右側部上方に表示している。画像表示面１１ａを傾斜させ、操作キー１４ａの視認性が低下した場合に、この操作キー１４ａの表示位置を画像表示面１１ａの中央に表示させるようにしてもよい。この様に、操作キー１４ａの表示位置を、ユーザーの操作のし易い位置に移動させることで、画像表示面１１ａが傾斜して画像表示面１１ａの視認性が低下した場合にも、操作キー１４ａの操作性を維持することができる。
また、画像表示面１１ａの傾斜角度に応じて、操作キー１４の表示形態として、表示サイズ及び表示位置を、各傾斜角度に対応付けられた表示サイズ及び表示位置に変更しても良いのは勿論である。更に、上記実施の形態では、図２（ａ）、（ｂ）に示す様に、操作キー１４の表示サイズを変更する際に、操作キー１４の横幅及び高さを共に大きく変更しているが、画像表示面１１ａの傾斜に応じて、いずれか一方のみ変更してもよい。すなわち、画像表示面１１ａが傾斜した場合に、ユーザーがタッチパネル１３上で触れた位置が、ユーザーが視認する方向から見て、画像表示面１１ａに表示される操作キー１４の表示領域内に含まれるように変更すればよい。
また、上記実施の形態では、操作キー１４として車載機器１００に対する所定の操作内容が対応付けられた操作キー１４を例に挙げたが、ＧＵＩ（Graphical User Interface）も操作キーの概念に含まれる。すなわち、画像表示面１１ａの傾斜角度に応じて、ＧＵＩの表示形態（表示サイズ、表示位置等）を変更するようにしてもよい。
【符号の説明】
【００３６】
１  液晶表示装置
１０  表示部
１１  液晶パネル
１１ａ  画像表示面
１２  信号処理部
１３  タッチパネル
１４、１４ａ、１４ｂ、１４ｃ  操作キー
２１  スライドメカ（支持部）
２１ｂ  回動部
２３  角度検出部
２６  マイコン（表示制御部）
θａ、θｂ、θｃ  傾斜角度
θａ  基準角度
Ｓａ  基準サイズ
【図１】
2010256460.tif 000003
【図２】
2010256460.tif 000004
【図３】
2010256460.tif 000005
【図４】
2010256460.tif 000006
【図５】
2010256460.tif 000007